(57)【要約】      （修正有）【課題】褥婦がリラックスして楽に授乳でき、また乳児は乳房から効果的に母乳を飲むことができる授乳用椅子を提供する。【解決手段】座部１１と、背もたれ部１２と、左右の肘掛け１３ａ，１３ｂとを有する。そして、背もたれ部１２は座部１１に対して角度が段階的又は無段階に変えられることを特徴とする。ここで、背もたれ部１２の座部１１に対する角度変化は９０°〜１８０°の範囲とする。また、左右の肘掛け１３ａ，１３ｂの一方に、容器保持用穴１３１ａ，１３１ｂを設け、座部１１の中央部に凹部１１１を設ける。左右の肘掛け１３ａ，１３ｂの内側間の距離としては５００ｍｍ〜６５０ｍｍの範囲とする。【選択図】図１
0003190630.tif 000002
【実用新案登録請求の範囲】
【請求項１】
座部と、背もたれ部と、左右の肘掛けとを有し、前記背もたれ部は前記座部に対して角度が段階的又は無段階に変えられることを特徴とする授乳用椅子。
【請求項２】
前記背もたれ部の前記座部に対する角度が９０°〜１８０°の範囲で変えられる請求項記載の授乳用椅子。
【請求項３】
前記左右の肘掛けの一方に、容器保持用穴を備えている請求項記載の授乳用椅子。
【請求項４】
前記座部の中央部に凹部又は穴を備えている請求項記載の授乳用椅子。
【請求項５】
左右の肘掛けの内側間の距離が５００ｍｍ〜６５０ｍｍの範囲である請求項記載の授乳用椅子。
【考案の詳細な説明】
【技術分野】
【０００１】
本考案は、授乳用椅子に関し、より詳細には、褥婦がリラックスして楽に授乳でき、また乳児が乳房から効果的に母乳を飲むことがでる姿勢を安定して保持できる椅子に関するものである。
【背景技術】
【０００２】
これまで、褥婦が乳児に授乳する場合、円座椅子あるいは背もたれ付きの円座椅子に座り、Ｕ字状の授乳クッションを腹部に装着して授乳することがあった。しかし、円座椅子では姿勢を保持するための支えがなく、姿勢が不安定となり授乳の間褥婦はリラックスできなかった。
【０００３】
このため、肘掛けのある一般の椅子を用いて授乳することも行われていたが、一般の椅子では左右の肘掛けの間が狭く、授乳クッションを装着すると褥婦の体が圧迫されることがあった。また、肘掛けの高さが授乳作業に合わず、肘掛けと授乳クッションとの間にタオルなどを挟んで高さ調整をしなければならないこともあった。
【０００４】
そこで、例えば、特許文献１には、保母が体格の異なる乳児にそれぞれ授乳する場合に、乳児を抱いた状態でそれぞれ適正な姿勢を保持できるよう、肘掛けアームを上下調整できる椅子が提案されている。
【０００５】
また、特許文献２には、乳児を抱いて楽な姿勢で違和感なく授乳できるよう、座の中央部に窪みを形成すると共に、この窪みをマットで塞ぎ、背もたれと肘掛けとの接合部を曲面とした椅子が提案されている。
【先行技術文献】
【特許文献】
【０００６】
【特許文献１】特開平9-117349号公報
【特許文献２】実用新案登録第3158588号
【考案の概要】
【考案が解決しようとする課題】
【０００７】
しかしながら、前記提案の授乳用椅子はいずれも、背もたれの傾斜角度が固定されているため、近年、国際認定ラクテーションコンサルタントが提案している「乳児が自分で乳房に吸いつく」乳児主導の吸着姿勢（ベビー・レッド・ブレストフィーディング：Baby Led Breastfeeding）に調整できない。また、帝王切開した褥婦や会陰縫合部痛、痔痛などを有する褥婦からは、自分にあった楽な姿勢に調整できる授乳用椅子が切望されていた。
【０００８】
そこで本考案は、このような従来の問題に鑑みてなされたものであり、その目的は、褥婦がリラックスして楽に授乳でき、また乳児は乳房から効果的に母乳を飲むことができる授乳用椅子を提供することにある。
【課題を解決するための手段】
【０００９】
本考案によれば、座部と、背もたれ部と、左右の肘掛けとを有し、前記背もたれ部は前記座部に対して角度が段階的又は無段階に変えられることを特徴とする授乳用椅子が提供される。
【００１０】
ここで、前記背もたれ部の前記座部に対する角度変化は９０°〜１８０°の範囲であるのが好ましい。
【００１１】
また、授乳中の口の渇きを補うための水分容器や哺乳瓶などを置くために、前記左右の肘掛けの一方に、容器保持用穴を設けるのが好ましい。
【００１２】
前記座部の中央部に凹部又は孔を設けるのが好ましい。
【００１３】
また、授乳クッションを装着した状態で褥婦が圧迫感を感じることなく座ることができる観点からは、左右の肘掛けの内側間の距離は５００ｍｍ〜６５０ｍｍの範囲であるのが好ましい。
【考案の効果】
【００１４】
本考案の授乳用椅子では、背もたれ部の座部に対する傾斜角度が変えられるので、座位による会陰局所の圧迫やうっ血などを軽減でき、褥婦にとって楽な姿勢でリラックスして授乳できる。また、ベビー・レッド・ブレストフィーディングの姿勢とすることでき、例えば、哺乳ビンの使用によって乳頭混乱を招いている乳児の治療にも有効に利用できる。さらには、背もたれ部の傾斜角度を大きくして、母乳の出を良くしたり乳房の過度の緊満を緩和するための乳房マッサージを、授乳前後あるいは授乳途中に行うこともできる。
【図面の簡単な説明】
【００１５】
【図１】本考案に係る授乳用椅子の一例を示す斜視図である。
【図２】ラチェットによるリクライニング機構の一例を示す図である。
【図３】本考案に係る授乳用椅子の他の例を示す斜視図である。
【図４】操作レバーによって段階的に傾斜角度を変えられるリクライニング機構の一例を示す図である。
【図５】操作レバーによって無段階に傾斜角度を変えられるリクライニング機構の一例を示す図である。
【考案を実施するための形態】
【００１６】
以下、本考案を図に基づいてさらに詳しく説明するが本考案はこれらの実施形態に何ら限定されるものではない。
【００１７】
図１に、本考案に係る授乳用椅子の一実施形態を示す斜視図を示す。図１の授乳用椅子Ｃ１は、座部１１と、背もたれ部１２と、左右の肘掛け部１３ａ，１３ｂと、脚部を兼ねた左右の側板部１４ａ，ａ４ｂとを備える。座部１１の中央部には円形状の凹部１１１が形成されている。座部１１に凹部１１１が形成されていることにより、会陰縫合痛や痔痛などを有する褥婦の着座しているときの痛みが和らげられる。なお、凹部１１１に嵌め入れ可能な円形マットを準備し、不必要なときは円形マットを凹部に嵌め入れて、座部１１の上面を同一平面状としてもよい。
【００１８】
また、右側の肘掛け部１３ａの上面前側端には、２つの容器保持用穴１３１ａ，１３１ｂが設けられている。一方の容器保持用穴１３１ａは、哺乳瓶や搾乳器などを置くためのものであり、他方の容器保持用穴１３１ｂは、褥婦用の飲み物を置くためのものである。２つの容器保持用穴１３１ａ，１３１ｂの直径は同じである。もちろん、容器保持用穴１３１ａ，１３１ｂの直径は異なっていてもよい。また、病院などでは複数の授乳用椅子が並べて配置されることから、隣接する椅子の飲み物を誤って取ることがないよう、容器保持用穴１３１ａ，１３１ｂは左右の肘掛け部の一方にのみ設けるのが好ましい。もちろん、容器保持用穴は１個であっても３個以上であっても構わない。容器保持用穴１３１ａ，１３１ｂに容器を直接差し入れるようにしてもよいが、衛生上などの観点からは、取り外し可能なカップホルダーを容器保持用穴１３１ａ，１３１ｂに装着し、カップホルダーを介して容器を保持するようにするのが好ましい。
【００１９】
左右の肘掛け部１３ａ，１３ｂの内側間の距離Ｄ（図１に図示）は、授乳クッションを装着した褥婦が着座しても圧迫感を感じない距離とするのが望ましい。市販されている授乳クッションの幅は、通常、５５０ｍｍ〜６００ｍｍ程度であるので、左右の肘掛け部１３ａ，１３ｂの内側間の距離Ｄは、５００ｍｍ〜６５０ｍｍの範囲とすることが推奨される。
【００２０】
さらに、授乳用椅子Ｃ１は、座部１１に対する背もたれ部１２の角度θ（図１に図示）が段階的に変えられる。例えば、帝王切開した褥婦の場合には、背もたれ部１２の角度を略垂直状態とすることにより、着座による痛みが大幅に緩和されるようになる。また、会陰縫合部痛、痔痛などを有する褥婦の場合にも、背もたれ部１２を所望の角度に調整することによって、着座による痛みが緩和される。加えて、背もたれ部１２を座部１１に対して傾斜させて、ベビー・レッド・ブレストフィーディングの姿勢とすることができ、褥婦はリラックスして楽に授乳できる一方、乳児は乳房から効果的に母乳を飲むことができる。背もたれ部１２の角度変化範囲は、９０°〜１８０°の範囲が好ましく、より好ましくは９０°〜１２０°の範囲である。
【００２１】
座部１１に対する背もたれ部１２の角度を変える機構としては、従来公知の機構を用いることができる。図２に、背もたれ部１２の角度を段階的に変えられるリクライニング機構の一例を示す。図２に示すリクライニング機構は、ラチェットによるリクライニング機構であって、座椅子などのリクライニング機構として広く用いられている機構である。
【００２２】
座部１１のフレーム（不図示）に取り付けられた第１金具２１と、背もたれ部１２のフレーム（不図示）に取り付けられた第２金具２２のラチェットギア２２１とが、軸２３によって回動可能に取り付けられている。そして、第１金具２１には、ラチェットギヤ側にバネ２４によって常に付勢された爪片２５が軸支され、爪片２５がラチェットギア２２１の歯に咬合することによって第１金具２１に対する第２金具２２の展開方向への回動が阻止される。
【００２３】
また、軸２３にはカム板２６が軸支されている。カム板２６は、爪片２５のラチェットギア２２１との咬合を解除する円弧状の突起２６１と、爪片２５のラチェットギア２２１への咬合を許容するための凹部２６２と、ラチェットギア２２１に形成された当たり面２２３に衝合する第１ストッパー面２６３と、ラチェットギア２２１に形成された突部２２２に衝合する第２ストッパー面２６４とを有する。通常は、カム板２６の凹部２６２を介して爪片２５がラチェットギア２２１に咬合し、第２金具２２の展開方向への回動が阻止され、折り畳み方向への回動は可能とされる。第２金具２２が所定角度以上回動されると、カム板２６の第２ストッパー面２６４にラチェットギア２２１の突部２２２が衝合し、カム板２６はラチェットギア２２１と共に回動する。そして、カム板２６の突起２６１に爪片２５が乗り上げることによって、爪片２５とラチェットギア２２１との咬合が解除され、第２金具２２の展開方向への回動が可能となる。そして、カム板２６の第１ストッパー面２６３にラチェットギア２２１の当たり面２２３が衝合すると、カム板２６がラチェットギア２２１と共に回動し、第２金具２２の展開位置で爪片２５が突起２６１から凹部２６２に落ち込み、ラチェットギア２２１と再び咬合する。
【００２４】
このようなリクライニング機構において、背もたれ部１２の角度を調整する場合には、背もたれ部１２を座部に対して垂直状態よりもやや折り畳んだ状態として、爪片２５とラチェットギア２２１との咬合を一旦解除し、背もたれ部１２を展開、すなわち水平状態とする。その後、背もたれ部１２の折り畳み方向に回動していく。すると、爪片２５がラチェットギア２２１の各歯部と順に咬合し、所定の角度ごとに爪片２５のラチェットギア２２１との当接音がする。所望の角度で背もたれ部１２の回動操作を止めれば、背もたれ部１２はその角度から展開方向への回動が阻止され当該角度が維持される。角度変化の段数に特に制限はないが、通常、４段〜６段の範囲である。
【００２５】
座部１１、背もたれ部１２及び側板部１４ａ，１４ｂの主材としては、クッション性などの観点から弾性部材が好ましく、例えばウレタンフォームが好適に使用される。また、座部１１、背もたれ部１２及び側板部１４ａ，１４ｂの表面張材としては、撥水性を有し、汚れが付きにくく、さらには抗菌性を有するものが好ましい。このような表面張材としてはビニールレザーが好適に使用される。また、肘掛け部１３ａ，１３ｂの材質としては木製又はプラスチック製が好ましい。
【００２６】
図３に、本発明に係る授乳用椅子の他の実施形態を示す斜視図を示す。この図に示す授乳用椅子Ｃ２が、図１に示した授乳用椅子Ｃ１と異なる点は、側板部１４ａ，１４ｂに換えて４本の棒状の脚部１５ａ〜１５ｄを備える点にある。そして脚部１５ａと脚部１５ｂの上端に肘掛け部１３ａが架け渡され、脚部１５ｃと脚部１５ｄの上端に肘掛け部１３ｂが架け渡されている。このような構造により、図１で示した授乳用椅子Ｃ１によりも重量が軽くなり、椅子の移動作業が楽に行えるようになる。また、脚部の接地面積が小さくなるので、椅子の下などの掃除が容易になる。
【００２７】
また、図３に示す授乳用椅子Ｃ２が、図１に示した授乳用椅子Ｃ１と異なるもう一つ点は、操作レバー３６によって、背もたれ部１２の角度を多段階に変えられる点にある。図４に、操作レバー３６によって背もたれ部１２の角度を変えるリクライニング機構の一例を示す。
【００２８】
図４のリクライニング機構では、第２金具３２が、第１金具３１にヒンジピン３３を介して前後方向に回動可能に枢着されている。第２金具３２には、扇状のラチェット板３４がリベットによって鋲着されている。ラチェット板３４の外周部には、ヒンジピン３３と同一中心の円弧状歯部３４１が刻設されている。一方、第１金具３１には、ラチェット板３４の歯部３４１に係合する歯部を備えた爪片３５が、軸４１によって回動可能に枢着されている。また、第１金具３１には、爪片３５の係脱操作をするための操作レバー３６が軸４２によって回動可能に支持されている。この操作レバー３６は、テンションスプリング４３によって図４において時計回り方向に常に付勢されている。操作レバー３６のカム穴３６１に、爪片３５に突設したガイドピン３５１が挿入され、操作レバー３６の反時計回り方向の回動につれて爪片３５がラチェット板３４との係合解除(ロック解除)方向に回動するようになっている。
【００２９】
カム３７は、操作レバー３６と一体となって回動し、爪片３５の歯部がラチェット板３４の歯部３４１と咬合したロック状態を保持すべく、爪片３５の背面をラチェット板３４側に押圧する。また、第２金具３２に固着されたフック３７とヒンジピン３３との間には、スパイラルスプリング３８が掛止され、第２金具３２は図４の時計回りの方向に常に付勢されている。
【００３０】
このような機構において、背もたれ部１２の角度を調整する場合には、座部１１の側方に配置された操作レバー３６に力を加えて図４の反時計回りの方向に回動させる。すると、カム穴３６１とガイドピン３５１の協働作用で爪片３５が図４の時計回りの方向に回動し、爪片３５の歯部とラチェット板３４の歯部３４１との咬合が解除される。これにより、固定されていた背もたれ部１２が解放され、スパイラルスプリング３８によって座部１１に対して垂直となる方向に背もたれ部１２は付勢される。したがって、操作レバー３６を操作する前の背もたれ部１２の傾斜角度よりも背もたれ部１２を倒す場合は、スパイラルスプリング３８の付勢力に抗する力を背もたれ部１２に加えて所望の角度まで背もたれ部１２を倒した後、操作レバー３６に加えていた力を解除する。反対に、操作レバー３６を操作する前の背もたれ部１２の傾斜角度よりも背もたれ部１２を起こす場合は、スパイラルスプリング３８の付勢力によって背もたれ部１２を起こし、所望の角度で操作レバー３６に加えていた力を解除する。操作レバー３６に加えていた力が解除されると、操作レバー３６は、テンションスプリング４３の付勢力によって通常位置に戻り、爪片３５の歯部とラチェット板３４の歯部３４１とが咬合し、背もたれ部１２の角度が維持される。
【００３１】
また、本発明の授乳用椅子では、背もたれ部１２の角度を無段階に変えられるようにしてもよい。図５に、操作レバー５９の操作によって背もたれ部１２の角度を無段階に変えるリクライニング機構の一例を示す。
【００３２】
図５に示すリクライニング機構では、座部１１側に固定されたブラケット５１と、背もたれ部１２側に固定され、ブラケット５１に回転自在に支持されたアウターリング５２と、ブラケット５１に固定され、アウターリング５２の円形溝に収容されたインナーカム５３と、アウターリング５２とインナーカム５３間の円周上の複数のスペースにそれぞれ収容された圧縮バネ５４及び一対の鋼球５５，５５と、一対の鋼球５５，５５間の距離を規制する係止突起５６ａ，５６ｂをそれぞれ有する一対のレリーズプレート５７，５８と、この一対のレリーズプレート５７，５８を相対回転させる操作レバー５９とを備えている。
【００３３】
上記構成において、図５（ａ）に示すように、操作レバー５９を操作しない状態では、各圧縮コイルバネ５４の付勢力によって各一対の鋼球５５，５５がアウターリング５２とインナーカム５３の間に嵌合するロック位置に位置する。このロック位置にあって、背もたれ部１２（図３に図示）に作用する回転力は、アウターリング５２と鋼球５５，５５間や鋼球５５，５５とインナーカム５３間に作用するが、アウターリング５２の回転がこれら部材間の摩擦力によって阻止されるために背もたれ部１２（図３に図示）は回動しない。つまり、ロック位置では背もたれ部１２に回動力が作用しても、背もたれ部１２はその傾斜角度を維持する。
【００３４】
一方、図５（ｂ）に示すように、操作レバー５９を操作すると、操作レバー５９に形成された凸起５０が一対のレリーズプレート５７，５８間に入り込み、一対のレリーズプレート５７，５８が回転変位して双方の係止突起５６ａ，５６ｂが一対の鋼球５５，５５の距離を縮める方向、つまり、嵌合を解除するロック解除位置に変位する。このロック解除位置にあって、背もたれ部１２に回動力が作用すると、アウターリング５２が回動自由の状態であるため、背もたれ部１２が自由に回動する。つまり、ユーザが背もたれ部１２に回動力を作用させる操作によって背もたれ部１２の傾斜角度を可変できる。背もたれ部１２を所望の傾斜角度に調整した後に、操作レバー５９を元の位置に戻すと、一対の鋼球５５，５５が圧縮コイルバネ５４の付勢力によって再び嵌合位置に戻り、背もたれ部１２はこの傾斜角度でロックされる。
【００３５】
以上説明した各実施形態では、背もたれ部１２の傾斜角度は手動によって変化させていたが、モーターなどの駆動源を用いて背もたれ部１２の傾斜角度を電動で変えるようにしてももちろん構わない。
【産業上の利用可能性】
【００３６】
本考案の授乳用椅子では、背もたれ部の座部に対する傾斜角度が変えられるので、それぞれの褥婦に合った楽な姿勢でリラックスして乳児に授乳させることができ有用である。
【符号の説明】
【００３７】
Ｃ１    授乳用椅子
Ｃ２    授乳用椅子
１１    座部
１２    背もたれ部
１３ａ  肘掛け部
１３ｂ  肘掛け部
１１１    凹部
１３１ａ  容器保持用穴
１３１ｂ  容器保持用穴
【図１】
0003190630.tif 000003
【図２】
0003190630.tif 000004
【図３】
0003190630.tif 000005
【図４】
0003190630.tif 000006
【図５】
0003190630.tif 000007
【手続補正書】
【提出日】平成26年3月6日(2014.3.6)
【手続補正１】
【補正対象書類名】実用新案登録請求の範囲
【補正対象項目名】全文
【補正方法】変更
【補正の内容】
【実用新案登録請求の範囲】
【請求項１】
座部と、背もたれ部と、左右の肘掛けとを有し、前記背もたれ部は前記座部に対して角度が段階的又は無段階に変えられることを特徴とする授乳用椅子。
【請求項２】
前記背もたれ部の前記座部に対する角度が９０°〜１８０°の範囲で変えられる請求項１記載の授乳用椅子。
【請求項３】
前記左右の肘掛けの一方に、容器保持用穴を備えている請求項１又は２記載の授乳用椅子。
【請求項４】
前記座部の中央部に凹部又は穴を備えている請求項１〜３のいずれかに記載の授乳用椅子。
【請求項５】
左右の肘掛けの内側間の距離が５００ｍｍ〜６５０ｍｍの範囲である請求項１〜４のいずれかに記載の授乳用椅子。